【手続補正書】
【提出日】平成20年8月20日(2008.8.20)
【手続補正１】
【補正対象書類名】明細書
【補正対象項目名】特許請求の範囲
【補正方法】変更
【補正の内容】
【特許請求の範囲】
【請求項１】  有機物質中に存在する生存可能な微生物有機体及び／又はプリオンの数を減らすための方法であって、
ｉ）固体及び／又は液体部分を含む有機物質を供給する工程、
ii）前記有機物質を、以下の処理：
ａ）有機物質の加水分解を生じる１００℃〜２２０℃の範囲の温度での石灰オートクレーブ処理であって、石灰はＣａＯおよび／またはＣａ(ＯＨ)２である処理、及び
ｂ）前記石灰オートクレーブ処理した有機物質からアンモニアをストリッピングする処理
［ここで、有機物質の衛生処理およびアンモニアのストリッピングに関連して添加される石灰は溶解した正リン酸塩を沈殿させる。］
に付する工程、並びに
iii）生存可能な微生物有機体及び／又はプリオンの数の減少した処理済みの有機物質を得る工程
を含んでなる方法。
【請求項２】  処理済みの有機物質をバイオガス発酵装置へ転じる工程、処理済みの有機物質を発酵させる工程及びバイオガスを得る工程を更に含む請求項１記載の方法。
【請求項３】  農業用地に、処理済みの有機物質を加える工程を更に含む請求項１記載の方法。
【請求項４】  農業用地に、処理済みの有機物質の発酵から得られる残留物を加える工程を更に含む請求項２記載の方法。
【請求項５】  微生物有機体は、動物原性感染症病原菌および家畜性微生物である請求項１記載の方法。
【請求項６】  微生物有機体は、伝染性微生物有機体及び寄生性病原体微生物有機体から選ばれる請求項１記載の方法。
【請求項７】  固体部分及び／又は液体部分を含む前記有機物質は、有機質肥料及びそのスラリー、農作物残留物、貯蔵農作物、動物の死体若しくはその一部、屠殺場廃棄物、肉及び骨粉、並びにそれらの組合せから選ばれる請求項１または２記載の方法。
【請求項８】  ストリッパータンク内で、有機物質をアンモニアストリッピング工程に付する前に、有機物質を石灰オートクレーブ処理することによってバイオガス生産を更に向上させる請求項２記載の方法。
【請求項９】  石灰オートクレーブ処理した有機物質を、アンモニアストリッピング工程に付する前に、発酵させる請求項８記載の方法。
【請求項１０】  植物起源の有機物質を、アンモニアストリッピング工程に転じる前に、貯蔵する請求項２記載の方法。
【請求項１１】  貯蔵した植物起源の有機物質を、アンモニアストリッピング工程の前に、発酵させる請求項１０記載の方法。
【請求項１２】  最初に、有機物質に所定量の石灰を添加して、４０℃以上の温度にてｐＨ値を９以上に上昇させることによって、アンモニアストリッピング工程を行う請求項８記載の方法。
【請求項１３】  ｐＨ値は１０以上である請求項１２記載の方法。
【請求項１４】  ｐＨ値は１１以上である請求項１２記載の方法。
【請求項１５】  温度は５０℃以上である請求項１２記載の方法。
【請求項１６】  温度は６０℃以上である請求項１２記載の方法。
【請求項１７】  アンモニアストリッピング工程の操作時間は２〜１５日である請求項１２記載の方法。
【請求項１８】  アンモニアストリッピング工程の操作時間は４〜１０日である請求項１２記載の方法。
【請求項１９】  アンモニアストリッピング工程の操作時間は６〜８日である請求項１２記載の方法。
【請求項２０】  ｐＨレベルは８〜１２であり、温度は７０℃〜８０℃であり、液体の気体に対する割合は１：４００以下であり、アンモニアストリッピング工程の操作時間は７日である請求項８記載の方法。
【請求項２１】  有機物質は最大で５０％（W／V）の固体部分を含む請求項１２記載の方法。
【請求項２２】  有機物質は最大で３０％（W／V）の固体部分を含む請求項１２記載の方法。
【請求項２３】  有機物質は最大で１０％（W／V）の固体部分を含む請求項１２記載の方法。
【請求項２４】  ストリッピングしたアンモニアを、タンクに貯蔵する前に、塔に吸収させる請求項１２記載の方法。
【請求項２５】  塔は水又は酸性溶液を含む請求項２４記載の方法。
【請求項２６】  酸性溶液は硫酸を含む請求項２５記載の方法。
【請求項２７】  石灰オートクレーブ処理によってストリッピングしたアンモニアを、タンクに貯蔵する前に塔に吸収させる請求項２４記載の方法。
【請求項２８】  有機物質の石灰オートクレーブ処理を、１２０℃〜２２０℃の温度、２バール〜２０バールの圧力で、ｐＨ値を９から１２とするのに十分な石灰を添加し、少なくとも１分から好ましくは６０分以下の石灰オートクレーブ処理の操作時間にて行う請求項１〜１２のいずれかに記載の方法。
【請求項２９】  温度を１８０℃〜２００℃の範囲とし、圧力を１０バールから好ましくは１６バール以下とし、ｐＨレベルを９から１２とするのに十分な石灰を添加し、石灰オートクレーブ処理工程の操作時間を少なくとも５分から好ましくは１０分以下とする請求項２８記載の方法。
【請求項３０】  有機物質は、牛類、豚類及び家禽類からの濃厚な排泄物又は厩肥を更に含む請求項２８記載の方法。
【請求項３１】  有機物質はＢＳＥプリオン若しくは他種のプリオンを構成するタンパク質を含んでなり、ＢＳＥプリオン若しくは他種のプリオンを石灰オートクレーブ処理工程にて除去する請求項２８記載の方法。
【請求項３２】  有機物質は、わら、繊維分又はおがくずを更に含む請求項２８記載の方法。
【請求項３３】  有機物質は、１０％（ｗ／ｗ）以上の繊維分を含む請求項２８記載の方法。
【請求項３４】  有機物質は、セルロース及び／又はヘミセルロース及び／又はリグニンを含む炭水化物複合体を１０％（ｗ／ｗ）以上の含量で含む請求項２８記載の方法。
【請求項３５】  ＣａＯを２〜８０ｇ／ｋｇ（乾燥物質）の量で添加する請求項２８記載の方法。
【請求項３６】  ＣａＯを５〜６０ｇ／ｋｇ（乾燥物質）の量で添加する請求項２８記載の方法。
【請求項３７】  石灰オートクレーブ処理の前に、有機物質を液浸軟化する請求項２８記載の方法。
【請求項３８】  液浸軟化装置を備えたスクリューコンベアによって、有機物質を液浸軟化させ、有機物質を石灰オートクレーブ装置へ移送し、該石灰オートクレーブ装置にて、スチーム注入によって、石灰オートクレーブ装置まわりのケープ内のスチームによってまたはその両者によって、有機物質を加熱する請求項３７記載の方法。
【請求項３９】  有機物質をアンモニアストリッピングに付する前に、石灰オートクレーブ装置内で処理した有機物質を、中温及び／又は高温発酵用の発酵装置に送る請求項２８記載の方法。
【請求項４０】  発酵をバクテリア群によって行う請求項３９記載の方法。
【請求項４１】  発酵は嫌気的発酵である請求項３９記載の方法。
【請求項４２】  動物起源の有機物質は、窒素（Ｎ）を１０％（Ｗ／Ｖ）以上の量で含む請求項３９記載の方法。
【請求項４３】  発酵を１５℃から好ましくは６５℃までの温度にて行う請求項３９記載の方法。
【請求項４４】  発酵を２５℃から好ましくは５５℃までの温度にて行う請求項３９記載の方法。
【請求項４５】  発酵を３５℃から好ましくは４５℃までの温度にて行う請求項３９記載の方法。
【請求項４６】  発酵を５日から好ましくは１５日までの時間にて行う請求項３９記載の方法。
【請求項４７】  発酵を７日から好ましくは１０日までの時間にて行う請求項３９記載の方法。
【請求項４８】  貯蔵する有機物質は、動物飼料農作物、例えばビート、トウモロコシ、クローバー草を含み、場合によって植物の先端部も含まれる請求項１０記載の方法。
【請求項４９】  バイオガス生産を、１又はそれ以上の発酵装置内で微生物有機体によって行い、有機物質の嫌気的発酵を含む請求項２〜１２のいずれかに記載の方法。
【請求項５０】  微生物有機体は、主としてメタンを生産し、および、有機物質を発酵させる場合のメタン生産と比べてより少量の二酸化炭素を生産するバクテリアである請求項４９記載の方法。
【請求項５１】  有機物質の嫌気的細菌発酵によってバイオガス生産を２つの発酵装置で行い、最初に、第１の発酵装置で高温細菌による発酵を行い、その後、高温細菌による発酵を行った有機物質を第２の発酵装置へ送り、そこで中温細菌による発酵を行う請求項４９記載の方法。
【請求項５２】  高温反応条件には、４５℃〜７５℃の範囲の反応温度が含まれる請求項５１記載の方法。
【請求項５３】  高温反応条件には、５５℃〜６０℃の範囲の反応温度が含まれる請求項５１記載の方法。
【請求項５４】  中温反応条件には、２０℃〜４５℃の範囲の反応温度が含まれる請求項５１記載の方法。
【請求項５５】  中温反応条件には、３０℃〜３５℃の範囲の反応温度が含まれる請求項５１記載の方法。
【請求項５６】  高温反応は、５〜１５日で行う請求項５１記載の方法。
【請求項５７】  高温反応は、７〜１０日で行う請求項５１記載の方法。
【請求項５８】  中温反応は、５〜１５日で行う請求項５１記載の方法。
【請求項５９】  中温反応は、７〜１０日で行う請求項５１記載の方法。
【請求項６０】  ポリマー及び／又は植物油及び／又は１種又はそれ以上の塩を添加することによって、発泡する可能性を低減し及び／又は排除する請求項５１記載の方法。
【請求項６１】  植物油は菜種油である請求項６０記載の方法。
【請求項６２】  溶液中又は懸濁液中の有機物質と無機物質との間にカルシウムブリッジを形成することができるカルシウムイオンを添加し、該カルシウムブリッジが粒状物の凝集を形成することによって、バイオガス生産の間に粒状物及び物質の所望の凝集を達成する請求項４９記載の方法。
【請求項６３】  カルシウムイオンの添加によって、リン酸カルシウム（Ｃａ３(ＰＯ４)２）として沈殿することが好ましい、溶解したＰＯ４３−を含む正硫酸塩の沈殿を更に生じさせ、沈殿したリン酸カルシウムは好ましくはスラリー中に懸濁させる請求項６２記載の方法。
【請求項６４】  得られるバイオガスは、熱及び／又は電気を生産することができるガスエンジンへ送られる請求項６２記載の方法。
【請求項６５】  熱は、石灰オートクレーブ装置及び／又は発酵プラント及び／又はアンモニアストリッパー反応装置及び／又は１又はそれ以上のバイオガス反応装置及び／又は１またはそれ以上の畜舎を加熱するために用いられる請求項６４記載の方法。
【請求項６６】  電気は、配電のための商業用電力網へ送られ、販売される請求項６４記載の方法。
【請求項６７】  微生物有機体は、細菌、例えばカンピロバクター菌、サルモネラ菌、エルシニア属、カイチュウ属、ウイルス及びウイロイド等を含む請求項１〜１２のいずれかに記載の方法。
【請求項６８】  有機物質から窒素（Ｎ）含有肥料を生産する工程を更に含んでなり、その生産は、ｉ）アンモニアストリッピング工程において有機物質からストリップされたアンモニアを集める工程、ii）前記アンモニアを、硫酸を含む酸性溶液又は水に吸収させる工程、およびiii）窒素（Ｎ）肥料を得る工程を含んでなる請求項２〜１２のいずれかに記載の方法。
【請求項６９】  有機物質からリン（Ｐ）含有肥料を生産する工程を更に含んでなり、その生産は、ｉ）バイオガス発酵装置からのスラリーを第１の分離装置へ送る工程、ii）発酵させた有機物質及び無機物質を液体フラクションと固体フラクションとに分離する工程、ならびに、iii）リン（Ｐ）の一部を、最初はスラリー中に懸濁された有機リン酸塩及びリン酸カルシウムＣａ３(ＰＯ４)２として含む固体フラクションであって、リン（Ｐ）肥料として用いることができる固体フラクションとして得る工程を含んでなる請求項２〜１２のいずれかに記載の方法。
【請求項７０】  分離装置は遠心式デカンターである請求項６９記載の方法。
【請求項７１】  リン（Ｐ）を含む固体フラクションを乾燥させて、リン（Ｐ）肥料を含む粒状物を製造する請求項６９記載の方法。
【請求項７２】  分離工程から得られる廃水は、窒素（Ｎ）及びリン（Ｐ）を０．１％（Ｗ／Ｖ）以下の含量で有する請求項６９または７０記載の方法。
【請求項７３】  廃水はストリッパータンクへ送られ、ストリッパータンク内で有機物質からアンモニアをストリップするために再利用される請求項７２記載の方法。
【請求項７４】  畜舎を清浄化するために廃水を再利用する請求項７２記載の方法。
【請求項７５】  廃水は、動物原性病原菌、家畜性ウイルス、伝染性細菌、寄生生物、ＢＳＥプリオン及び他種のプリオンを含まない請求項７２記載の方法。
【請求項７６】  スチームストリッパー内において、前記廃水からのアンモニアのストリッピングを行う工程を更に含む請求項６９または７０記載の方法。
【請求項７７】  ストリップしたアンモニアを２段階凝縮装置で凝縮させる請求項７６記載の方法。
【請求項７８】  第１の段階で、アンモニアを、向流の冷却したアンモニア凝縮物にて凝縮させる請求項７７記載の方法。
【請求項７９】  第１の段階で凝縮されなかったアンモニアを、請求項６９から得られた排水からカリウム（Ｋ）を抽出するために用いられる逆浸透工程からの、向流の透過液により凝縮させる請求項７８記載の方法。
【請求項８０】  ストリッピングしたアンモニアを塔へ送り、第１のアンモニアストリッパータンクからのアンモニアを吸収させる請求項７６記載の方法。
【請求項８１】  有機物質からカリウム（Ｋ）含有肥料を生産する工程を更に含んでなり、その生産は、ｉ）第１の分離工程からの排水のカリウム（Ｋ）含有液体フラクションを第２の分離工程へ送る工程、ii）該液体フラクションから残存する有機成分及び無機成分を分離する工程、iii）カリウム（Ｋ）を含む液体フラクションを得る工程を含んでなり、前記カリウム（Ｋ）を含む液体フラクションはカリウム（Ｋ）肥料として用いることができる請求項６９または７０のいずれかに記載の方法。
【請求項８２】  第２の分離工程は、カリウム（Ｋ）含有液体フラクションをマイクロフィルターに通して、排水の濾過および断続的エアレーションを行うことを含んでなり、そのエアレーションによって、残存する有機物質を分解させ、及び無機性凝集粒状物を沈降させる請求項８１記載の方法。
【請求項８３】  ｉ）動物、好ましくは、乳牛、豚類、畜牛類、馬類、山羊類、羊類及び／又は家禽等を含む農場動物を収容し及び／若しくは繁殖させるための第１のデバイス、及び／若しくは
ii）好ましくは有機物質を前処理するための少なくとも１つの前処理プラントであって、前記有機物質には、好ましくは、動物厩肥及び／若しくは動物スラリー及び／若しくは植物の一部が含まれ、植物の一部には、わら、農作物、農作物残留物、貯蔵植物、エネルギー農作物の１種又はそれ以上が含まれ、場合によって、動物の死体若しくはその一部、屠殺場廃棄物、肉及び骨粉、血しょう、又はＢＳＥプリオン若しくは他種のプリオンが存在する可能性のある若しくは可能性のない動物から得られるそのような生成物が更に含まれる、第２のデバイス、及び／若しくは
iii）好ましくは有機物質を含むバイオマスから、向上した量のエネルギーを発生させる第３のデバイス
を含んでなるシステムであって、
第１のデバイスは、
ａ）床、屋根、スタイ、肥料水路、スラリー水路、動物、畜舎若しくは動物小屋の換気用水路の１又はそれ以上を清浄化するためのシステムであって、清浄化には清浄化水を用いることが含まれるシステム、
ｂ）前記清浄化水を、場合によって、畜舎若しくは動物小屋から第２のデバイスへ有機物質及び清浄化水を含むスラリーの形態で、移送するシステム
を含んでなり、第２のデバイスは、
ａ）ｉ）第１のデバイスから第２のデバイスへ送られるスラリーから、窒素（Ｎ）を含むアンモニアをストリッピングし、又はii）第２のデバイスの追加の前処理タンクから送られる有機物質から窒素（Ｎ）を含むアンモニアをストリッピングするための第１の前処理タンクであって、場合によって有機物質の加水分解に用いることもできる第１の前処理タンク、及び／若しくは
ｂ）第１のデバイスから第２のデバイスへ送られる有機物質を含んでなるスラリーを加水分解するための第２の前処理タンク、その加水分解によってスラリー中に存在する生存可能な微生物有機体及び／又は病原性物質又はその一部の数を減らし及び／若しくは不活性化させ、及び／若しくは除去することを含んでなる、好ましくは石灰オートクレーブ装置である第２の前処理タンク、及び／若しくは
ｃ）貯蔵されたコーン／トウモロコシ、エネルギー農作物、ビート及び農作物残留物の少なくとも１つを含んでなる植物物質を形成するための少なくとも１つのタンク、好ましくはサイレージタンク、及び／若しくは
ｄ）少なくとも１つの第２のタンク、好ましくは貯蔵植物及び／若しくは石灰オートクレーブ処理された有機物質を発酵させ、その中の発酵条件は、中温発酵条件及び／若しくは高温発酵条件から選ばれる前処理発酵タンク
を含んでなり、第３のデバイスは、
ａ）第２のデバイスからスラリー及び／若しくは有機物質を送り、中温発酵条件及び／若しくは高温発酵条件のいずれかで有機物質を発酵させるための少なくとも１つのバイオガス発酵装置であって、前記発酵によって主としてメタンガスを含むバイオガスを生産することができるバイオガス発酵装置、
ｂ）バイオガスを集めるための少なくとも１つのタンクであって、場合によってバイオガス分配のための出口又はガスエンジンへ接続されるタンク、
ｃ）少なくとも１つの第１のセパレータであって、少なくとも１つのバイオガス発酵装置からの発酵物質を、廃水の形態である本質的に液体のフラクションと、固体リン（Ｐ）を含む有機物質及び無機物質を含んでなる、本質的に固体のフラクションとに分離する、好ましくは遠心式デカンタである第１のセパレータ、
ｄ）少なくとも１つの第２のセパレータであって、少なくとも１つの第１のセパレータからの廃水を、好ましくはエアレーション及び濾過によって更に処理し、その処理によって、臭気成分、窒素（Ｎ）化合物及びカリウム（Ｋ）化合物の１種又はそれ以上のものの少なくとも一部、好ましくは大部分を除去し、その分離によって更に、分離前と対比して減少した量で臭気成分、窒素（Ｎ）化合物及びカリウム（Ｋ）化合物の１種又はそれ以上を含む廃水を生じる、好ましくはセラミックミクロフィルターである第２のセパレータ
を含んでなることを特徴とするシステム。
【請求項８４】  少なくとも１つのサイレージタンク、少なくとも１つの前処理発酵タンク、少なくとも１つのバイオガス発酵装置、少なくとも１つの第１のセパレータ及び少なくとも１つの第２のセパレータの１つ又はそれ以上からの廃水又は液体フラクションを、動物小屋又は畜舎の清浄化に再使用する請求項８３記載のシステム。
【請求項８５】  システム内のダスト、微生物有機体、アンモニア、空気、液体またはその他の１またはそれ以上の要素の放出を防止しまたは減少する閉じたシステムを構成するパイプラインを含んでなる請求項８３記載のシステム。
【請求項８６】  少なくとも１つのサイレージタンク、少なくとも１つの前処理発酵タンク、少なくとも１つのバイオガス発酵装置、少なくとも１つの第１のセパレータ及び少なくとも１つの第２のセパレータの１つ又はそれ以上からの廃水又は液体フラクションを、スラリー分離及びバイオガス生産システムのいずれかの工程にて再使用して、有機物質を適当な流体条件に維持する請求項８３記載のシステム。
【請求項８７】  窒素（Ｎ）を含むアンモニアをストリッピングするためにストリッパータンクに有機物質を入れる前に、前記有機物質にＣａＯ及び／又はＣａ(ＯＨ)２を含む石灰を、好ましくは１０〜１２のｐＨ値を生じさせるのに十分な量で、場合によって有機物質を含むスラリーのエアレーション及び加熱工程と組み合わせて、添加する請求項８３記載のシステム。 
【請求項８８】  有機物質をストリッパータンク内に５〜１０日、場合によって７日の期間留める請求項８３記載のシステム。
【請求項８９】  ストリッパータンク内の温度が６０℃〜８０℃の範囲である請求項８３記載のシステム。
【請求項９０】  有機物質中の乾燥物質１ｋｇ当たり３０〜６０グラムのＣａ(ＯＨ)２をストリッパータンク内で有機物質へ添加するか、または前記有機物質をストリッパータンクに入れる前に添加する請求項８３記載のシステム。
【請求項９１】  ストリップされた窒素（Ｎ）を含むアンモニアをストリッパータンクから集め、アンモニアを水または好ましくは硫酸を含む酸溶液に吸収させる塔へ送り、場合によって吸収したアンモニアをタンク内に貯蔵する請求項８３記載のシステム。
【請求項９２】  酸溶液に吸収される窒素（Ｎ）を肥料として用いる請求項８３記載のシステム。
【請求項９３】  石灰オートクレーブ装置は、最初に有機物質をセグメントに分け、次にセグメント化した有機物質をチャンバーへ送り、そのチャンバーにてセグメント化した有機物質を加熱し、同時に温度上昇に伴う高圧にさらす装置である請求項８３記載のシステム。
【請求項９４】  石灰オートクレーブ装置内にて処理される有機物質に所定量の石灰を添加する請求項８３記載のシステム。
【請求項９５】  石灰オートクレーブ装置にて処理される有機物質にＣａＯもしくはＣａ(ＯＨ)２の形態の石灰を添加する請求項８３記載のシステム。
【請求項９６】  石灰オートクレーブ装置にて処理される有機物質にＣａＯを添加する請求項８３記載のシステム。
【請求項９７】  石灰オートクレーブ装置にて処理される有機物質に、有機物質中の乾燥物質１ｋｇ当たり５〜１０グラムのＣａＯを添加する請求項８３記載のシステム。
【請求項９８】  石灰オートクレーブ装置内の有機物質の温度を１００℃〜２２０℃の範囲とし、処理する有機物質に応じて温度を調整し、有機物質中のセルロース、ヘミセルロース及びリグニンの含量が高い程、より高い温度を選択し、または有機物質中にＢＳＥプリオンを含む伝染性の微生物有機体または病原性物質を含む可能性に応じてより高い温度を選択する請求項８３記載のシステム。
【請求項９９】  石灰オートクレーブ装置内で有機物質の温度を１８０℃〜２００℃の範囲とする請求項８３記載のシステム。
【請求項１００】  石灰オートクレーブ装置内の有機物質の圧力を１０〜１６バールとする請求項８３記載のシステム。
【請求項１０１】  石灰オートクレーブ装置内の有機物質を５〜１０分間、高い温度で処理する請求項８３記載のシステム。
【請求項１０２】  請求項９１に記載のように、石灰オートクレーブ装置にてストリップした窒素（Ｎ）を含むアンモニアを集めて、塔へ送り、吸収させる請求項８３記載のシステム。
【請求項１０３】  貯蔵所のトウモロコシ、エネルギー農作物、ビート及び／又は農作物残留物（これらに限定されない）を、更にストリッパータンクへ送る前に、中温発酵タンクまたは高温発酵タンクへ送る請求項８３記載のシステム。
【請求項１０４】  石灰オートクレーブ処理された有機物質を、更にストリッパータンクへ送る前に、中温発酵タンクまたは高温発酵タンクへ送る請求項８３記載のシステム。
【請求項１０５】  有機物質の発酵及びバイオガスの生産を、窒素（Ｎ）を含むアンモニアのストリッピング、及び、適切なｐＨレベル、温度、エアレーション、持続期間、発泡の防止及び懸濁物質の凝集を含む条件でのアルカリ加水分解を含む前処理によって最適に行う請求項８３記載のシステム。
【請求項１０６】  殺菌または衛生処理したスラリーをストリッパータンクから第１のバイオガス発酵装置へ送り、前記殺菌または衛生処理したスラリーによって発酵装置内のバイオガス生産微生物有機体群の個体数が抑制されたり損なわれたりしないように、バイオガス生産発酵装置内の微生物有機体条件を最適に行う請求項８３記載のシステム。
【請求項１０７】  窒素（Ｎ）を含むアンモニアがストリップされた有機物質を、条件が中温条件であるバイオガス反応装置へ送る請求項８３記載のシステム。
【請求項１０８】  中温発酵させた有機物質を、条件が高温条件であるバイオガス反応装置へ送る請求項８３記載のシステム。
【請求項１０９】  高温反応条件には４５℃〜７５℃の範囲の反応温度が含まれる請求項１０８記載のシステム。
【請求項１１０】  高温反応条件には５５℃〜６０℃の範囲の反応温度が含まれる請求項１０８記載のシステム。
【請求項１１１】  中温反応条件には２０℃〜４５℃の範囲の反応温度が含まれる請求項１０８記載のシステム。
【請求項１１２】  中温反応条件には３０℃〜３５℃の範囲の反応温度が含まれる請求項１０８記載のシステム。
【請求項１１３】  高温反応条件を５〜１５日で行う請求項１０８記載のシステム。
【請求項１１４】  高温反応条件を７〜１０日で行う請求項１０８記載のシステム。
【請求項１１５】  中温反応条件を５〜１５日で行う請求項１０８記載のシステム。
【請求項１１６】  中温反応条件を７〜１０日で行う請求項１０８記載のシステム。
【請求項１１７】  ポリマー及び／又は植物油及び／又は種々の塩を添加することによって、発泡の可能性を低減する請求項１０８記載のシステム。
【請求項１１８】  植物油は菜種油である請求項１０８記載のシステム。
【請求項１１９】  塩は、ＣａＯ及び／若しくはＣａ(ＯＨ)２を含む請求項１０８記載のシステム。
【請求項１２０】  有機物質の発酵を中温条件及び高温条件でそれぞれ少なくとも７日間行う請求項１１９記載のシステム。
【請求項１２１】  バイオガス反応装置からの発酵させた有機物質の一部をその特定の反応装置内で再利用し、発酵を行わせる微生物有機体群の接種材料として前記発酵させた有機物質を用いる請求項８３記載のシステム。
【請求項１２２】  固体物質と共に液体を含むスラリーを含む発酵させた有機物質を第１のセパレータへ送り、限られたフラクションの液体を含む固体物質を液体フラクションの主たる部分から分離させ、前記主として固体のフラクションはリン（Ｐ）及びその化合物を含む有機物質及び無機物質を含み、前記主として固体のフラクションは更に乾燥させて肥料に含ませることができる請求項８３記載のシステム。
【請求項１２３】  第１のセパレータは遠心式デカンタである請求項８３記載のシステム。
【請求項１２４】  第１のセパレータからの廃水を第２のセパレータで処理し、第２のセパレータは、第１のセパレータからの廃水を、エアレーション及び濾過、場合によって臭気成分の残留物、窒素（Ｎ）化合物の残留物及びカリウム（Ｋ）含有成分の除去によって更に処理して、きれいな廃水とする請求項８３記載のシステム。
【請求項１２５】  高温条件バイオガス反応装置または第１のもしくは第２のセパレータからの廃水を、地面、廃水処理プラントまたは清浄化プラント、場合によって生物的処理プラントへ送る請求項８３記載のシステム。